(57)【要約】  天然歯および／または漂白歯の明度、彩度および／または色相を確定する、歯サンプル用の供給システムは、複数の歯サンプル（３０）が直線状に配置される複数の受入要素（２０、２２）を有する。歯サンプル（３０）のグループが、第１受入要素（２０）において互いに隣接して提供され、歯サンプル（３０）は、各グループ内で同じ明度および同じ色相を有する。第２受入要素（２２）もまた、互いに隣接して配置された歯サンプル（３０）のグループを有し、各グループ内に、同じ明度を有し異なる色相を有する歯サンプル（３０）が配置される。【選択図】図４
2010516355.tif 000002
【特許請求の範囲】
【請求項１】
天然歯および／または漂白歯の明度、彩度および／または色相を確定する歯サンプル用供給システムであって、
複数の歯サンプル（３０）の直線配置のための複数の受入要素（２０、２２）
を具備し、
第１受入要素（２０）が、横に並んで配置された歯サンプル（３０）のグループ（０、１、２、３、４、５）を備え、各グループ内の前記歯サンプル（３０）が同じ明度および色相を有し、
第２受入要素（２２）が、横に並んで配置された歯サンプル（３０）のグループ（３２）を備え、明度が同じであり色相が異なる歯サンプルが前記グループ（３２）の各々に配置される、供給システム。
【請求項２】
前記第１受入要素（２０）に配置されたすべての歯サンプル（３０）が、同じ色相、特に中間色相（Ｍ）を有するが、異なる彩度を有することを特徴とする、請求項１に記載の供給システム。
【請求項３】
前記第２受入要素（２２）が、明度毎に２つのグループ（３２）、特に、より黄色がかった色相のグループとより赤みがかった色相のグループとを備え、彩度がそのグループ内で段階分けされることを特徴とする、請求項１または２に記載の供給システム。
【請求項４】
明度の異なる歯サンプル（３０）を備える第３受入要素（３６）を具備することを特徴とする、請求項１〜３のいずれか一項に記載の供給システム。
【請求項５】
前記第３受入要素（３６）に配置された前記歯サンプル（３０）が、同一の色相および／または同一の彩度を有することを特徴とする、請求項４に記載の供給システム。
【請求項６】
天然歯および／または漂白歯の明度、彩度および／または色相を確定する歯サンプル用供給システムであって、
複数の歯サンプル（３０）の直線配置のための複数の受入要素（２０、２２）
を具備し、
明度が異なる歯サンプルを含む第３受入要素（３６）が提供され、
第４受入要素（３８）が歯サンプルの複数のグループを備え、各グループが、明度が同一であるが色相および／または彩度が異なる歯サンプルを含む、供給システム。
【請求項７】
前記第４受入要素（３８）が少なくとも１つ、好ましくは３つのグループを備え、前記歯サンプル（３０）が前記グループ内で分類されることを特徴とする、請求項６に記載の供給システム。
【請求項８】
前記第４受入要素（３８）において、２つの明度、特に明度０および１が１つのグループに含まれることを特徴とする、請求項６または７に記載の供給システム。
【請求項９】
前記第４受入要素（３８）において、単一明度グループが、色相の異なる歯サンプルを含まないことを特徴とする、請求項６〜８のいずれか一項に記載の供給システム。
【請求項１０】
天然歯および／または漂白歯の明度、彩度および／または色相を確定する歯サンプル用供給システムであって、
複数の歯サンプル（３０）の直線配置のための複数の受入要素（２０、２２）
を具備し、
第５受入要素（４２）が、彩度が同一である２つの要素の複数のグループ（Ａ、Ｂ、Ｃ）を備え、
第２受入要素が、横に並べて配置された歯サンプル（３０）のグループ（３２）を備え、明度が同じであって色相が異なる歯サンプルが前記グループ（３２）の各々に配置される、供給システム。
【請求項１１】
前記第５受入要素（４２）が、同一の色相、特に中間色相（Ｍ）の歯サンプル（３０）を排他的に含むことを特徴とする、請求項１０に記載の供給システム。
【請求項１２】
前記第５受入要素（４２）が、各グループに、特に明度によって分類される、明度が異なる歯サンプルを含むことを特徴とする、請求項１０または１１に記載の供給システム。
【請求項１３】
少なくとも１つの受入要素（３８）が受入下位要素（３４、４０）に分割され、各受入下位要素（３４、４０）が特に歯サンプル（３０）の１つのグループを含むことを特徴とする、請求項１〜１２のいずれか一項に記載の供給システム。
【請求項１４】
受入下位要素（３４）が、色相が異なるが明度が同じである２つのグループ（３２）を含むことを特徴とする、請求項１３に記載の供給システム。
【発明の詳細な説明】
【技術分野】
【０００１】
本発明は、天然歯および／または漂白歯の明度（Helligkeit）、彩度（Chromas）および／または色相（Farbtons）を確定するための歯サンプル用供給システムに関する。
【背景技術】
【０００２】
米国特許第５,４９８,１５７号明細書に記載されている、人間の歯の明度、彩度および色相に関係する基準に基づき、本出願人は、ビタ・トゥースガイド・３Ｄマスター（ＶＩＴＡ  Ｔｏｏｔｈｇｕｉｄｅ  ３Ｄ−Ｍａｓｔｅｒ）と呼ばれる歯サンプル用の供給システムを開発した。供給システム、トゥースガイド・３Ｄ−マスターを、図１〜図３に示す。受入要素１０には、複数の溝穴１２が設けられており、各溝穴１２にはサンプルホルダ１４が挿入されている（図２）。サンプルホルダ１４には、２つまたは３つのサンプルピン１６が枢支保持されている。明度、彩度および色相の確定は、図１、図２および図３に示す３つのステップで行われる。この目的で、個々の歯サンプル１８は、それらの明度、それらの彩度およびそれらの色相に応じて、異なるグループに割り当てられている。グループ１〜５（図１）において、各グループは、明度が同じである歯サンプル１８から構成されている。グループ１〜５内では、歯サンプルは彩度および色相が異なる。たとえば図２において印が付けられているグループ３におけるように、各個々のグループにおいて、各サンプルホルダ１４は、色相は同じであるが彩度が異なる２つまたは３つの歯サンプルを含む。２つの端のグループ１および５を除き、各明度グループは３つのサンプルホルダを有している。色相の相違が、これらの間の相違をもたらす。中央サンプルホルダＭは中間色相を有し、文字Ｌで識別される左サンプルホルダ１４は幾分か黄色がかった色相を有し、文字Ｒで識別される右サンプルホルダ１４は幾分か赤みがかった色相を有する（図３）。
【０００３】
天然歯または漂白歯の明度、彩度および色相を確定する際、第１ステップにおいて明度が確定される（図１）。そうする際、歯科医または歯科技工士は、明度グループ１〜５のうちの１つを選択する。明度グループの選択の後、その明度グループ内で彩度が選択される（図２）。これは、対応する明度グループから中央サンプルホルダ１４を引き出すことによって行われる（図２）。そして、個々のサンプルピンを枢動させることにより、１、２または３として指定された彩度を確定するために、患者の歯に隣接して歯サンプルを保持することができる。次のステップ（図３）において、中間色相Ｍに関して、歯の色相が黄色がかっている（Ｌ）かまたは赤みがかっている（Ｒ）かが確定される。
【発明の概要】
【発明が解決しようとする課題】
【０００４】
ビタ・トゥースガイド３Ｄマスターによって、歯の明度、彩度および色相を非常に正確に確定することができるが、それは扱いが難しいことが分かった。たとえば、確定されるべき歯の色の彩度が非常に強い場合、第１ステップにおいて明度グループを正確に確定することが困難である。これは、人間の眼は明度と彩度とを区別するには能力が限られており、かつ人間の眼は一方を他方で補うという事実による。したがって、有彩色は暗い色として知覚される。これにより、第１ステップで間違った明度が選択されることになる可能性がある。この誤りを、後続するステップで訂正することができない。
【０００５】
本発明の目的は、扱いが単純でありかつ明度、彩度および／または色相を信頼性高く正確に確定することができる、明度、彩度および／または色相を確定する歯サンプル用の供給システムを提供することである。
【課題を解決するための手段】
【０００６】
この目的は、請求項１、請求項６または請求項９に定義されている供給システムによって達成される。
【０００７】
本発明の本質的な要素は、供給システムの簡略化である。これは、個々の歯サンプルが直線アレイでのみ配置される個々の受入要素を提供することによって達成される。ここでは、３Ｄマスターの場合のように、各々が歯サンプルを支持する複数のサンプルピンが、サンプルホルダにたとえば枢動するように連結されていない。そうではなく、個々の歯サンプル、たとえばそれぞれのサンプルピンに締結された歯サンプルがばらばらになっている。本発明によれば、歯サンプルは、個々に、かつ一列に横に並んで、すなわち直線状に配置される。したがって、視覚的な明確さが劇的に向上する。本発明によれば、本発明の異なる実施形態における供給システムは、それぞれ複数の受入要素を有する。明度、彩度および／または色相を確定するために、個々の受入要素が次々に使用される。その結果、１つの確定ステップで考慮されるべき歯サンプルの数が劇的に低減する。
【０００８】
供給システムの第１の好ましい実施形態は、２つの受入要素を備える。第１受入要素は、横に並んで配置された複数の歯サンプルグループを有する。１つのグループに配置される歯サンプルは、同じ明度および同じ色相を有する。したがって、第１受入要素を用いて、第１ステップにおいて明度グループを確定することが容易に可能である。これは、各グループが最大３つの歯サンプルを備えることが好ましいため、特に中間彩度を用いる場合、簡単な方法で可能である。明度グループが確定された後、対応するグループ内で彩度を確定することができる。色相を確定するために、第１受入要素とは独立して使用することができる第２受入要素が提供される。そして、第２受入要素は、横に並べて配置される複数の歯サンプルグループを備える。各グループ内で、歯サンプルは、同じ明度を有するが異なる色相を有する。さらに、個々のグループ内で彩度の細かい段階分けを提供することができる。ここで、第２受入要素は、明度毎に２つのグループを備えていてもよい。グループのうちの一方はより黄色がかった色相を有し、他方はより赤みがかった色相を有する。
【０００９】
特にサンプルピンによって保持される個々の歯サンプルが、受入要素から、特にそこから引き抜くことによって取外し可能であることが好ましいため、第１受入要素から第１ステップおよび第２ステップで選択された歯サンプルを取り出し、それを、第２受入要素の歯サンプルの隣に、それらをよりよく比較するために保持することが可能である。さらに、個々の歯サンプルを取り外すことにより、それらを患者の歯に隣接して保持することができる。
【００１０】
本発明の第１実施形態は、第１ステップをより簡略化するため、すなわち明度を確定するために、さらなる第３受入要素が提供されるように発展することが好ましい。この受入要素は、異なる明度の歯サンプルを備え、明度毎に１つの歯サンプルのみが提供されることが好ましい。ここでは、第３受入要素に配置されたすべての歯サンプルが、色相が同一、特に中間色相であり、かつ／または彩度が同一、特に中間彩度であることが好ましい。第３受入要素を用いて明度が確定されると、上述したように彩度および色相が確定される。
【００１１】
本発明の第２実施形態では、特に明度毎に１つの歯サンプルしかない第３受入要素が第４受入要素に結合されて供給システムとなる。ここで、第４受入要素は、歯サンプルの複数の明度グループを有し、各グループの歯サンプルは、明度が同一の歯サンプルに構成される。歯サンプルの順序は、この明度グループ内で彩度および色相に関して画定されることが好ましい。
【００１２】
本発明の第３実施形態では、他の実施形態と同様に、複数の歯サンプルが直線状に、すなわち横に並んでのみ配置される、複数の受入要素が提供される。混乱を避けるために第５受入要素と称される受入要素が、複数の歯サンプルグループを有し、それら歯サンプルの彩度は各グループ内で同一である。すべてのグループが、同一、特に中間色相を有することが好ましい。各グループ内で、歯サンプルのそれぞれの明度が異なり、これらは、明から暗に順序付けられることが好ましい。この実施形態の第２受入要素は、第１実施形態の文脈で説明した、色相を確定する第２受入要素に対応する。
【発明の効果】
【００１３】
したがって、本発明には、一直線状の認識へと単純化されるという特別な利点がある。それにより、歯科医に対し、カラースケールのなじみのある直線配置が提供されるが、明度、彩度および／または色相に関して改善され、かつより正確な選択の可能性が提供される。
【００１４】
以下は、好ましい実施形態に関連する本発明の詳細な説明である。
【図面の簡単な説明】
【００１５】
【図１】従来技術による製品ビタ・トゥースガイド３Ｄマスターの略平面図である。
【図２】従来技術による製品ビタ・トゥースガイド３Ｄマスターの略平面図である。
【図３】従来技術による製品ビタ・トゥースガイド３Ｄマスターの略平面図である。
【図４】供給システムの第１の好ましい実施形態に関する略平面図である。
【図５】第１実施形態の拡張に関する略平面図である。
【図６】供給システムの第２の好ましい実施形態に関する略平面図である。
【図７】供給システムの第３の好ましい実施形態に関する略平面図である。
【発明を実施するための形態】
【００１６】
本発明の供給システムの第１の好ましい実施形態（図４）では、第１受入要素２０および第２受入要素２２が提供される。実質的に立方形の受入要素２０、２２は、上部２６に開放した挿入溝穴２４を有している。挿入溝穴２４にサンプルピン２８が、引き抜くことができるように挿入されており、各サンプルピン２８は歯サンプル３０を支持している。すべての歯サンプル３０が、明度、彩度および／または色相のいずれかが互いに異なっている。
【００１７】
第１の記載されている実施形態（図４）では、第１受入要素は、０〜５の番号が振られている複数のグループを有している。各グループ内で、歯サンプル３０は同じ明度、すなわち明度０、１、２、３、４または５を有している。図示する実施形態では、第１受入要素２０に配置されているすべての歯サンプルが同じ色相Ｍを有している。それぞれの明度グループ０〜５内では、歯サンプル３０は異なる彩度１、２または３を有している。色０Ｍ１〜０Ｍ３は、歯の天然色範囲外の色であり、歯を漂白することによってもたらされる色である。
【００１８】
第２受入要素２２は、歯サンプルの６つの異なるグループ３２を有しており、図示する好ましい実施形態では、各々２つのサンプル３０を有している。各個々のグループ３２は、同一の色相、すなわち色相Ｌまたは色相Ｒのいずれかの歯サンプルを含む。個々のグループ３２内では、歯サンプルはさらに同じ明度を有し、２つの個々のグループ３２を、１つの主グループ３２に構成することができ、その際、主グループ３４内には同じ明度が存在する。個々のグループ３２内では、歯サンプル３０は異なる彩度を有し、図示する実施形態は中間の彩度１．５および２．５を示している。
【００１９】
明度、彩度および色相を選択するために、歯科医または歯科技工士はまず、第１受入要素２０を用いて明度１〜５のうちの１つを選択する。そして、歯科医は、その明度内で彩度１、２または３を選択する。その後、第２受入要素２２を用いて、先に見つけた明度に従ってそれぞれの主グループ３４を採用して、色相が選択される。場合によっては、受入要素２２をいくつかの受入下位要素に分割することができ、各受入下位要素が主グループ３４を有することが好ましい。これにより、色複合体を確定するために対応する受入下位要素のみが必要であるため、扱いが容易になる。
【００２０】
図５に示す第１実施形態の拡張では、受入要素２０、２２に加えて第３受入要素３６が提供される。第３受入要素３６は、図示する実施形態では、６つのサンプルピン２８を有しており、各々が歯サンプル３０を支持している。６つの歯サンプルは、排他的に明度が異なり、明度０〜５によって横に並んで直線状に配置されている。可能な限り正確である明度を確定することができるように、６つの歯サンプルは同一の彩度２とともに同一の色相Ｍを有している。
【００２１】
したがって、図４に対して説明したステップに先立つステップにおいて、歯科医または歯科技工士はまず、第３受入要素３６を用いて明度を確定する。その後、対応する明度０〜５に関して、第１受入要素２０を用いて彩度を確定することができる。ここで、図５に示す実施形態では、受入要素２０を複数の受入下位要素に分割することができ、各受入下位要素は明度グループを含む。
【００２２】
本発明による、図４および図５の文脈で説明した実施形態に類似する供給システムの第２の好ましい実施形態（図６）では、この場合もまた、各々が歯サンプル３０を支持する個々のサンプルピン２８が受入要素に挿入され、そこから取外しが可能である。明度を確定するために、図５に対して説明したものに類似する、図６に示す供給システムの実施形態の第３受入要素３６が提供される。
【００２３】
本実施形態で提供される追加の受入要素、すなわち第４受入要素３８は、図示する実施形態ではいくつかの受入下位要素４０に分割される。各個々の受入下位要素４０は歯サンプル３０のグループを含む。２つの明度０および１が含まれる第１グループを除き、各グループは、同じ明度の歯要素を排他的に含む。１つの明度内で、彩度および色相が異なる歯サンプルが提供される。好ましい実施形態では、これらは分類され、色相ＬまたはＲが、それぞれ彩度１、２または３の歯サンプル３０の間に配置される。図示する実施形態では、中間彩度の値、すなわち１．５および２．５を示す、色相Ｌまたは色相Ｒの２つの歯サンプル３０がそれぞれ提供されている。
【００２４】
第１グループは例外であって、そこには色相ＬおよびＲが提供されていない。このグループは、異なる彩度に関連して明度０および１の構成された歯サンプルを排他的に含む。ここでは、天然歯カラースケールが中間明度範囲において最も広いことが留意されるべきである。非常に高い明度または非常に低い明度の範囲において、スケールはより狭くなる。さらに、中間明度がより頻繁に現れ、非常に高い明度および非常に低い明度は明らかに頻度が低い。したがって、明度グループ１および５では、Ｍ色が許容可能な妥協点である。「１Ｍ３」は天然歯カラースケール外である。別の例外は、最後のグループ、明度グループ５によって形成される。ここでも、色相の異なる歯サンプルは含まれない。
【００２５】
第３実施形態（図７）においてもまた、各々が単一歯サンプル３０を支持する個々のサンプルピン２８が挿入溝穴２４に挿入される。
【００２６】
供給システムのこの実施形態において、この場合もまた、２つの受入要素が提供される。最初に用いられる受入要素は第５受入要素４２である。この受入要素は複数の歯サンプルグループを支持し、個々のグループＡ、Ｂ、Ｃの歯サンプルは同じ彩度１、２、３を有している。個々のグループＡ、Ｂ、Ｃ内では、歯サンプル３０はそれらの明度０〜５が異なっている。第５受入要素４２の歯サンプルはすべて同じ中間色相を有している。第５受入要素４２を用いて、明度および彩度が確定される。ここで、最初に明度を確定したいか彩度を確定したいかは歯科医または歯科技工士次第である。たとえば、最初に彩度を確定し、すなわちグループＡ、Ｂ、Ｃのうちの１つを選択し、その後、それぞれのグループ内で明度を確定してもよい。また、たとえば、まず中間彩度グループＢを用いて明度０〜５を確定した後、１または３の彩度がより適しているか否かを検査することも可能である。
【００２７】
本供給システムのこの実施形態で提供されるさらなる受入要素は、受入要素２２（図４）である。
【図１】
2010516355.tif 000003
【図２】
2010516355.tif 000004
【図３】
2010516355.tif 000005
【図４】
2010516355.tif 000006
【図５】
2010516355.tif 000007
【図６】
2010516355.tif 000008
【図７】
2010516355.tif 000009
【手続補正書】
【提出日】平成22年3月17日(2010.3.17)
【手続補正１】
【補正対象書類名】図面
【補正対象項目名】図６
【補正方法】変更
【補正の内容】
【図６】
2010516355.tif 000010
【国際調査報告】
2010516355.tif 000011
2010516355.tif 000012
2010516355.tif 000013
2010516355.tif 000014